(57)【要約】      （修正有）【課題】ピックアップヘッド送り装置は、ストッパ部は、固定部に連続されると共にナット部の弾性部材と反対側に対向するように配置される制限片を有する。【解決手段】二軸アクチュエータが取り付けられると共にガイド軸に摺動自在に支持されたスライド部材６４と、送りナット７０と、その送りナット７０の歯部７１が係合されるねじ溝７４を有し且つ送りモータ７５によって回転駆動される送りねじ軸７３と、を備え、送りナット７０には、スライド部材６４に固定するための固定部７０ａと、歯部７１を有するナット部７０ｂと、そのナット部７０ｂと固定部７０ａとの間を撓み変形可能に連結する連結部７０ｃと、ナット部７０ｂを送りねじ軸７３側に付勢するコイルばね７７と、そのコイルばね７７のばね力によるナット部７０ｂの撓み変形を制限するストッパ部８１と、を設けた。【選択図】図７
2006172661.tif 000002
【特許請求の範囲】
【請求項１】
光ピックアップが取り付けられると共にガイド部材に摺動自在に支持されたスライド部材と、
前記スライド部材に取り付けられた送りナットと、
前記送りナットの歯部が係合されるねじ溝を有し且つ原動機によって回転駆動される送りねじ軸と、を備え、
前記送りねじ軸の回転力を前記送りナットから前記スライド部材に伝達して前記光ピックアップを移動させるピックアップヘッド送り装置において、
前記送りナットには、前記スライド部材に固定するための固定部と、前記歯部を有するナット部と、前記ナット部と前記固定部との間を撓み変形可能に連結する連結部と、前記ナット部を前記送りねじ軸側に付勢する弾性部材と、前記弾性部材のばね力による前記ナット部の撓み変形を制限するストッパ部と、を設けたことを特徴とするピックアップヘッド送り装置。
【請求項２】
前記ストッパ部は、前記固定部に連続されると共に前記ナット部の前記弾性部材と反対側に対向するように配置される制限片を有することを特徴とする請求項１記載のピックアップヘッド送り装置。
【請求項３】
前記ストッパ部は、前記固定部に連続されると共に前記ナット部の下部に対向するように配置される制限片を有することを特徴とする請求項１記載のピックアップヘッド送り装置。
【請求項４】
前記ストッパ部は、前記固定部に連続される固定側制限片と前記ナット部に連続されるナット側制限片とからなり、前記固定側制限片と前記ナット側制限片とを互いに係合させることによって前記撓み変形を制限するようにしたことを特徴とする請求項１記載のピックアップヘッド送り装置。
【請求項５】
原動機によって回転駆動される送りねじ軸の回転力を、前記送りねじ軸のねじ溝に係合される歯部を有する送りナットからスライド部材に伝達し、回転駆動されるディスク状記録媒体の半径方向に前記スライド部材を移動させると共に当該スライド部材に取り付けられた光ピックアップにより前記ディスク状記録媒体に対して情報信号の記録及び／又は再生を行うようにしたディスクドライブ装置において、
前記送りナットには、前記スライド部材に固定するための固定部と、前記歯部を有するナット部と、前記ナット部と前記固定部との間を撓み変形可能に連結する連結部と、前記ナット部を前記送りねじ軸側に付勢する弾性部材と、前記弾性部材のばね力による前記ナット部の撓み変形を制限するストッパ部と、を設けたことを特徴とするディスクドライブ装置。
【発明の詳細な説明】
【技術分野】
【０００１】
本発明は、情報信号の記録及び／又は再生を行うために光ピックアップをディスク状記録媒体の半径方向に移動させるピックアップヘッド送り装置及び当該ピックアップヘッド送り装置を備えたディスクドライブ装置に関し、特に、送りねじ軸の回転力をスライド部材に伝達して光ピックアップを移動させる送りナットの歯部が必要以上に広げられるのを防止するようにしたピックアップヘッド送り装置及びディスクドライブ装置に関するものである。
【背景技術】
【０００２】
従来の、この種のピックアップヘッド送り装置としては、例えば、特許文献１に記載されているようなものがある。特許文献１には、ＣＤプレーヤ、ＤＶＤレコーダ等のメディアディスク機器に適用されるピックアップヘッドの送り装置に関するものが記載されている。この特許文献１に記載されたピックアップヘッド送り装置は、「ピックアップ本体が取り付けられ、案内軸に摺動自在に支持されたホルダを、リードスクリューによって移送させるピックアップヘッド送り装置において、前記リードスクリューを回転駆動するモータと、前記ホルダに、前記案内軸の軸方向に所定間隔をもって形成された一対の支持片と、前記一対の支持片を連結すると共に前記リードスクリューのネジ溝と係合する突起が設けられた係合部材と、基端が前記ホルダに固定され側端がそれぞれ前記一対の支持片に当接するように当該支持片の間に配設され、自由端側が前記係合部材に当接して前記係合部材の突起を前記リードスクリューに圧接すべく弾性を付与する板バネと、を備えた」ことを特徴としている。
【０００３】
このような構成を有するピックアップヘッド送り装置によれば、「ラックが、リードスクリューの回転によってその軸方向に変位するような力を受けても、板バネによって変位が規制されるため、ピックアップヘッドの送りを精度よく実行させることができる」という効果が期待される。
【０００４】
また、従来のピックアップヘッド送り装置の他の例としては、例えば、特許文献２に記載されているようなものもある。特許文献２には、車載用或いは家庭用音響機器等に装着されてＤＶＤ等の再生ヘッド及び／又は記録ヘッドを搭載したヘッドユニットの送り装置に関するものが記載されている。この特許文献２に記載されたヘッド送り装置は、「ガイド部材に案内されて記録媒体に沿って移動自在に設けられたヘッドユニットと、前記ヘッドユニットの移動方向に沿って設けられたスクリュー軸と、このスクリュー軸に回転を与える駆動部と、前記ヘッドユニットにばね部材を介して支持されて前記スクリュー軸に噛み合う嵌合部材とを有するヘッド送り装置において、前記嵌合部材がスクリュー軸から離れようとする方向へ移動するのを規制する規制部材が設けられ、この規制部材は前記ヘッドユニットに直接または間接的に固定されている」ことを特徴としている。
【０００５】
このような構成を有するヘッド送り装置によれば、「ヘッドユニットに設けられた嵌合部材と、スクリュー軸との間の嵌合が、外部衝撃やモータの暴走等により外れるのを防止でき、ばね部材の変形や嵌合部材の変形あるいは破損を防止でき、さらには起動不良が生じるのを防止できる」等の効果が期待される。
【０００６】
しかしながら、特許文献１に記載されたピックアップヘッド送り装置の場合には、送りねじ軸のねじ溝に係合される突起を板ばねで送りねじ軸側に付勢し、その付勢力によって突起がねじ溝から外れないように構成されていた。そのため、ねじ溝に突起を押し付ける力が板ばねのばね力によって決定され、そのばね力に比例して突起の押圧力が増減変化することから、板ばねのばね力が強すぎる場合には摺動摩擦抵抗が大きくなって動力の伝達ロスが多くなり、好適なばね力を設定することが難しいという課題があった。
【０００７】
また、特許文献２に記載されたピックアップヘッド送り装置の場合には、スクリュー軸に嵌合する嵌合部材が板ばねによってヘッドベースに取り付けられていると共に、ヘッドベースには更に、規制面が嵌合部材に対して微小隙間をあけて対向された剛性を有する規制板が取り付けられており、規制面で嵌合部材の移動を規制して衝撃力等で嵌合部材の凸条がスクリュー軸のねじ山から外れるのを防止する構成となっていた。そのため、嵌合部材とは別に規制板が必要とされていたことから、構造が複雑であって組立時の作業性が悪いばかりでなく、部品点数が多くて不経済であるという課題があった。
【特許文献１】特開２００４−１１８９５８号公報
【特許文献２】特開平１１−３０６７００号公報
【発明の開示】
【発明が解決しようとする課題】
【０００８】
解決しようとする問題点は、従来のピックアップヘッド送り装置においては、突起をねじ溝に押圧する力が板ばねのばね力に応じて比例的に変化するため、その押圧力を好適な値に設定することが難しく摺動摩擦抵抗が大きくなって動力の伝達ロスが多くなり、また、嵌合部材とは別に規制部材を用いる場合には、構造が複雑になって組立工数等が多くなるばかりでなく、部品点数が多くて不経済であるという点である。
【課題を解決するための手段】
【０００９】
本出願のピックアップヘッド送り装置は、光ピックアップが取り付けられると共にガイド部材に摺動自在に支持されたスライド部材と、そのスライド部材に取り付けられた送りナットと、その送りナットの歯部が係合されるねじ溝を有し且つ原動機によって回転駆動される送りねじ軸と、を備え、送りねじ軸の回転力を送りナットからスライド部材に伝達して光ピックアップを移動させるピックアップヘッド送り装置において、送りナットには、スライド部材に固定するための固定部と、歯部を有するナット部と、そのナット部と固定部との間を撓み変形可能に連結する連結部と、ナット部を送りねじ軸側に付勢する弾性部材と、その弾性部材のばね力によるナット部の撓み変形を制限するストッパ部と、を設けたことを最も主要な特徴とする。
【００１０】
本出願のピックアップヘッド送り装置は、ストッパ部は、固定部に連続されると共にナット部の弾性部材と反対側に対向するように配置される制限片を有することを特徴とする。
【００１１】
本出願のピックアップヘッド送り装置は、ストッパ部は、固定部に連続されると共にナット部の下部に対向するように配置される制限片を有することを特徴とする。
【００１２】
本出願のピックアップヘッド送り装置は、ストッパ部は、固定部に連続される固定側制限片とナット部に連続されるナット側制限片とからなり、固定側制限片とナット側制限片とを互いに係合させることによって撓み変形を制限するようにしたことを特徴とする。
【００１３】
また、本出願のディスクドライブ装置は、原動機によって回転駆動される送りねじ軸の回転力を、その送りねじ軸のねじ溝に係合される歯部を有する送りナットからスライド部材に伝達し、回転駆動されるディスク状記録媒体の半径方向にスライド部材を移動させると共にそのスライド部材に取り付けられた光ピックアップによりディスク状記録媒体に対して情報信号の記録及び／又は再生を行うようにしたディスクドライブ装置において、送りナットには、スライド部材に固定するための固定部と、歯部を有するナット部と、そのナット部と固定部との間を撓み変形可能に連結する連結部と、ナット部を送りねじ軸側に付勢する弾性部材と、その弾性部材のばね力によるナット部の撓み変形を制限するストッパ部と、を設けたことを特徴とする。
【発明の効果】
【００１４】
本出願のピックアップヘッド送り装置によれば、モータで送りねじ軸を回転駆動すると、その回転力が送りねじ軸のねじ溝に係合される歯部を有する送りナットからスライド部材に伝達され、回転駆動されるディスク状記録媒体の半径方向にスライド部材が移動されると共に、そのスライド部材に取り付けられた光ピックアップがディスク状記録媒体に対して情報信号の記録及び／又は再生を行う。この際、送りナットの固定部とナット部との間に介在された弾性部材によってナット部が送りねじ軸側に付勢されると共に、その弾性部材によるナット部の移動が所定範囲内に制限されている。そのため、弾性部材のばね力によってナット部の歯部が必要以上に大きな力で送りねじ軸のねじ溝に係合されるのを防止することができる。
【００１５】
従って、歯部とねじ溝との間に発生する摺動摩擦力が必要以上に大きくなることがなく、適正な押圧力で歯部をねじ溝に係合させることができ、歯部をねじ溝から外れ難くして送りねじ軸の回転力を送りナットに確実に伝達し、スライド部材をスムースに移動させることができるピックアップヘッド送り装置を提供することができる。更に、ストッパ部によってナット部の広がり量が制限されているため、弾性部材を組み付ける際にナット部が必要以上に広げられことがないから、ナット部が広げられることによる連結部の破損を防止することができる。
【００１６】
本出願のピックアップヘッド送り装置によれば、ストッパ部には、ナット部の弾性部材と反対側に対向される制限片を設ける構成としたため、ナット部が必要以上に広げられて連結部から破損するおそれを無くすことができると共に、ナット部の移動量を所定範囲内に制限することにより、歯部からねじ溝に付与される押圧力が必要以上に大きくなるのを防ぎ、送りねじ軸の回転力を送りナットに確実に伝達し、スライド部材をスムースに移動させることができる。
【００１７】
本出願のピックアップヘッド送り装置によれば、ストッパ部には、ナット部の下部に対向される制限片を設ける構成としたため、ナット部が必要以上に広げられて連結部から破損するおそれを無くすことができると共に、ナット部の移動量を所定範囲内に制限することにより、歯部からねじ溝に付与される押圧力が必要以上に大きくなるのを防ぎ、送りねじ軸の回転力を送りナットに確実に伝達し、スライド部材をスムースに移動させることができる。
【００１８】
本出願のピックアップヘッド送り装置によれば、ストッパ部には、固定部側制限片とナット側制限片とを設け、両制限片を互いに係合させることによってナット部の撓み変形を制限する構成としたため、弾性部材のばね力によるナット部の所定以上の移動を一対の制限片によって阻止し、ナット部が大きく広げられるのを防止できると共に、ナット部の移動量を制限して歯部からねじ溝に付与される押圧力が必要以上に大きくなるのを防ぎ、送りねじ軸の回転によって送りナット側を確実且つスムースに移動させることができる。
【００１９】
また、本出願のディスクドライブ装置によれば、原動機で送りねじ軸を回転駆動することにより、その回転力が送りねじ軸のねじ溝に係合される歯部から送りナットに伝達され、回転駆動されるディスク状記録媒体の半径方向にスライド部材が移動されると共に、そのスライド部材に取り付けられた光ピックアップによりディスク状記録媒体に対して情報信号の記録及び／又は再生を行うことができる。この際、送りナットの固定部とナット部との間に介在された弾性部材によってナット部が送りねじ軸側に付勢されると共に、その弾性部材によるナット部の移動が所定範囲内に制限されているため、弾性部材のばね力によってナット部の歯部が必要以上に大きな力で送りねじ軸のねじ溝に係合されるのを防止することができ、常に所定範囲内の押圧力で歯部をねじ溝に押圧することができる。その結果、歯部とねじ溝との間に発生する摺動摩擦力が必要以上に大きくなることがなく、適正な押圧力で歯部をねじ溝に係合させることができると共に、歯部がねじ溝から外れ難くして、送りねじ軸の回転力を送りナットに確実に伝達し、スライド部材をスムースに移動させることができるディスクドライブ装置を提供することができる。
【発明を実施するための最良の形態】
【００２０】
弾性部材を組み立てる際の作業ミスによってナット部が大きく広げられたり、組立後の弾性部材のばね力によってナット部の歯部が必要以上に大きな力で送りねじ軸のねじ溝に係合されるのを防止することができ、歯部がねじ溝から外れ難く、しかも、送りねじ軸の回転によって送りナットを確実且つスムースに移動させることができるピックアップヘッド送り装置及びディスクドライブ装置を、簡単な構造によって実現した。
【実施例１】
【００２１】
図１〜図１１は、本発明の実施の形態の例を示すものである。即ち、図１〜図３は本発明のピックアップヘッド送り装置及びディスクドライブ装置を備えた電子機器の一実施例を示すもので、図１はディスク式撮像装置を正面側から見た斜視図、図２は同じく背面側から見た斜視図、図３は同じくディスク蓋を開いた斜視図である。図４〜図８は本発明のピックアップヘッド送り装置を備えたディスクドライブ装置の一実施例を示すもので、図４は正面図、図５は背面図、図６は背面側から見た斜視図、図７はピックアップヘッド送り装置の要部を断面した説明図、図８は同じく要部を示す説明図である。図９〜図１１は本発明のピックアップヘッド送り装置に係る送りナットの実施例を示すもので、図９Ａ〜Ｃは第１の実施例の斜視図、正面図及び側面図、図１０Ａ〜Ｃは第２の実施例の斜視図、正面図及び側面図、図１１は第３の実施例の斜視図である。
【００２２】
図１〜図３に示す電子機器１は、情報記憶メディアであるディスク状記録媒体の一具体例として示す直径８ｃｍのＤＶＤ−Ｒ（Digital Video Disc−Recordable）を使用し、光学的な画像をＣＣＤ（固体撮像素子）で電気的な信号に変換してＤＶＤ−Ｒに記録したり、液晶モニタ等の表示装置に表示できるようにしたもの（以下「ディスク式撮像装置」という。）である。しかしながら、本発明のディスク状記録媒体としては、ＤＶＤ−Ｒに限定されるものではなく、ＤＶＤ−ＲＷ、ＤＶＤ−ＲＡＭその他の記録可能な光学ディスクを用いることができることは勿論のこと、例えば光磁気ディスク、磁気ディスク等のように他の記録方式のディスク状記録媒体を適用することができることは勿論である。
【００２３】
図１等に示すように、ディスク式撮像装置１は、着脱自在に装着されるＤＶＤ−Ｒ２（図４を参照）を回転駆動して情報信号の記録（書き込み）及び再生（読み出し）を行うディスクドライブ装置３（図４〜図６に示す。）と、このディスクドライブ装置３の駆動制御等を行う図示しない制御回路と、被写体の像を光として取り込んでＣＣＤに導くレンズ装置４と、これらディスクドライブ装置３等が収納される外装ケース５と、この外装ケース５に回動自在に取り付けられてディスク収納部６を開閉可能に覆うことができるディスク蓋７等を備えて構成されている。
【００２４】
外装ケース５は、三重に重ね合わせるように組み合わされるディスク側パネル８、中央部パネル９及び表示装置側パネル１０と、レンズ装置４の光軸方向の前後に配置されてこれらのパネル８〜１０と組み合わされるフロントパネル１１及びリアパネル１２と、中央部パネル９の内側に配置される図に表れない仕切りパネルとからなり、これらのパネル８〜１２によって中空の筐体が構成されている。そして、仕切りパネルのディスク側パネル８側の面に、マウントインシュレータを介してディスクドライブ装置３が弾性的に支持されている。これらのパネル８〜１２は、互いに重ね合わされた適当な部分において、或いは他の部材を介して固定ネジからなる固着手段によって組立・分解可能に構成されている。
【００２５】
レンズ装置４は、外装ケース５の上部に内蔵された状態で固定されており、その対物レンズ１５がフロントパネル１１の上部を前方に貫通して前面に露出されている。図示しないが、外装ケース５の内部において、レンズ装置４の後方にＣＣＤが配置されており、そのＣＣＤの後方にビューファインダ１６が配置されている。
【００２６】
ビューファインダ１６は外装ケース５の上部に露出されていて、ファインダ移動機構によってレンズ装置４の光軸方向へ所定距離だけ進退移動可能に構成されている。このビューファインダ１６は、前側を回動中心として後側が上下方向へ回動可能に構成されている。これによりビューファインダ１６は、レンズ装置４の光軸と平行をなす水平状態から、後部を上方へ持ち上げた上向き状態まで所定角度範囲（本実施例では約９０度）内で任意角度に角度調節可能とされている。このビューファインダ１６の角度調整は、ファインダ移動機構の前端部から後端部までの如何なる位置においても行うことができるようになっている。
【００２７】
更に、外装ケース５の上部には、ビデオライトや外付けマイクロホン等のアクセサリーが着脱自在に装着されるアクセサリーシュー１７が取り付けられている。アクセサリーシュー１７はビューファインダ１６の直前に配置されており、ビューファインダ１６を後方へ移動させたときに、アクセサリーシュー１７への挿入口が開口されるようになされている。この挿入口を開口させた状態においてアクセサリーの装着が可能であり、アクセサリーの装着後、ビューファインダ１６を前方へ移動させると、その挿入口が閉口されてアクセサリーの取り外しが不能となる。このアクセサリーシュー１７には、通常、不使用時に空間部分を埋める蓋体をなすシューキャップ１８が装着される。
【００２８】
また、フロントパネル１１の前面には、上から順にリモコン受光部２０とマイク端子とステレオ方式の内蔵マイクロホン２２が配置されている。リモコン受光部２０は、リモコン操作のための受信部である。このリモコン受光部２０は、焦点を自動的に調整する等のために用いられる赤外線を発光する赤外線発光部も兼ねている。また、マイク端子は映像端子と音声端子とからなり、これらの端子は端子カバー２１によって開閉可能に覆われている。
【００２９】
図２に示すように、外装ケース５のリアパネル１２には、電源バッテリー２４が着脱自在に装着されるバッテリー収納部２５が設けられている。バッテリー収納部２５は、リアパネル１２の背面及び下面に開口されていて、電源バッテリー２４は後方斜め下方から差し込み、また同方向へ取り出し可能とされている。更に、リアパネル１２には、吊り下げ用ストラップのための２個の支持金具２６ａ，２６ｂが取り付けられている。２個の支持金具２６ａ，２６ｂのうち、一方の支持金具２６ａは外装ケース５の左サイドの下部に取り付けられ、他方の支持金具２６ｂは外装ケース５の右サイドの上部に取り付けられている。
【００３０】
図１に示すように、外装ケース５の表示装置側パネル１０には、表示装置２８が姿勢変更可能に取り付けられている。表示装置２８は、図示しない平板状の液晶モニタと、この液晶モニタが収納されたパネルケースと、このパネルケースを外装ケース５に対して姿勢変更可能に支持するパネル支持部とから構成されている。パネル支持部は、垂直軸を回動中心としてパネルケースを水平方向に略９０度回動可能とした水平回動機能と、水平軸を回動中心としてパネルケースを前後方向に略１８０度回動可能とした前後回動機能とを有している。
【００３１】
これにより、表示装置２８は、図１に示すように外装ケース５の側面に収納した収納状態と、パネルケースを９０度回動させて液晶モニタを後方へ対向させた状態と、パネルケースを１８０度回動させて液晶モニタを前方へ対向させた状態と、それらの中間位置の状態とを任意に取ることができるようになっている。更に、表示装置側パネル１０の上部には、複数の操作ボタンからなる操作部３３が設けられている。
【００３２】
図３に示すように、外装ケース５の側面には、ディスク状記録媒体が着脱可能に装着されるディスク収納部６が設けられている。ディスク収納部６は、ディスクドライブ装置３の一部を露出させるための開口部を有する一定領域からなり、この実施例では、ディスク状記録媒体の一具体例として示す直径８ｃｍのＤＶＤ−Ｒ２に対応する大きさの領域として形成されている。このディスク収納部６の略中央部にはディスクドライブ装置３のテーブル回転手段３５が配置され、その略中央部に設けられたターンテーブル３６に対して、ＤＶＤ−Ｒ２が装着固定可能とされている。
【００３３】
ディスクドライブ装置３は、シャーシ３７を介して外装ケース５に固定されている。このディスクドライブ装置３が配置されたディスク収納部６は、ディスク側パネル８に側面部を回動自在に支持されたディスク蓋７によって開閉可能に覆われている。ディスク蓋７は、ディスク収納部６の形状に見合う形状とされていて、背面側に取り付けられた蓋回動軸部３８によって外装ケース５に固定されている。ディスク蓋７は、ディスク収納部６を覆う平面部７ａと、この平面部７ａの外周縁の略全周に亘って連続された周面部７ｂとを有している。このディスク蓋７の周面部７ｂは、ディスク側パネル８のディスク収納部６の外周側切欠き部と嵌り合うように構成されている。
【００３４】
蓋回動軸部３８は、図示しないが、ディスク蓋７の背面側に設けた方形部７ｃを貫通する支持軸と、この支持軸の両端を固定的に支持する一対の軸受片を有する軸受部材とからなり、軸受部材をディスク側パネル８に固定することによってディスク蓋７が回動自在に支持されている。この蓋回動軸部３８には、ディスク蓋７の最大開き角度（例えば、９０度）を設定するストッパ部が設けられている。
【００３５】
このような蓋回動軸部３８が、その支持軸の軸方向を上下方向に設定してディスク側パネル８に取り付けられている。これにより、ディスク蓋７が蓋回動軸部３８を介してディスク側パネル８の後部に回動可能に支持されている。その結果、ディスク蓋７は、ディスク式撮像装置１の正面を前側として前開きによって側方へ略９０度開放動作させることができる。なお、蓋回動軸部３８には、一定の開放角度の範囲内においてディスク蓋７を任意の開放位置で静止させることができると共に、その開放角度を超えたときにはディスク蓋７を開放側へ付勢するようにバネ部材が装着されている。
【００３６】
ディスク側パネル８と中央部パネル９との間には、図示しないが、ディスク蓋７の蓋開閉機構が設けられている。この蓋開閉機構は、ディスク収納部６を閉じた状態のディスク蓋７を、その閉じ状態においてロックする機能と、そのロックを解除する機能とを有するものである。この蓋開閉機構に対応させて、ディスク蓋７の内面にはロック部材３９が取り付けられている。
【００３７】
また、図２に示すように、ディスク側パネル８には、ディスク蓋７を囲うようにハンドベルト４０が取り付けられている。ハンドベルト４０は、外装ケース５の把持部５ａを握るユーザーの手を支え、ディスク式撮像装置１の取り落とし等を防止するものである。このハンドベルト４０は、両端がディスク側パネル８に固定されたベルト部材４１と、このベルト部材４１に装着されてユーザーの手の甲部分に当接される保護パッド４２とから構成されている。ベルト部材４１の一端はディスク側パネル８の前側下部に固定された取付金具４３に連結され、他端はディスク側パネル８の後側中途部に設けた貫通穴から内側に挿入されて、その内部に取り付けられた取付金具に固定されている。
【００３８】
図２に示すように、ディスク側パネル８の後部には、電源ボタン４４とモード切換ダイヤル４５と録画ボタン４６が配置されている。モード切換ダイヤル４５はリング状をなしていて、その穴内に電源ボタン４４が収納されている。電源ボタン４４はプッシュ・プッシュ方式のスイッチ手段からなり、その押圧動作によって電源バッテリー２４からの電力供給がオン・オフされる。モード切換ダイヤル４５は録画等の動作モードを選択するためのもので、その回動操作によって「静止画モード」と「動画モード」と「見る・編集モード」との３態様の中から任意のモードを選択することができる。また、録画ボタン４６はプッシュ・プッシュ方式のスイッチ手段からなり、その押圧動作によって動画撮影のスタートとストップが繰り返される。
【００３９】
更に、ディスク側パネル８の後側上部には、シャッタボタン４７とズームレバー４８が配置されている。シャッタボタン４７は静止画を撮影するためのもので、その押圧操作により、１回の押圧操作毎に１つの静止画が撮影される。また、ズームレバー４８は撮影時や再生時等において画像を拡大したり縮小したりするためのもので、その操作量に応じて一定の範囲内で倍率を無段階に調整することができる。
【００４０】
前記外装ケース５を構成するディスク側パネル８、中央部パネル９、表示装置側パネル１０、フロントパネル１１及びリアパネル１２の材料としては、例えば、ＡＢＳ（アクリロニトリル・ブタジエン・スチレン樹脂）が好適である。しかしながら、ＡＢＳに限定されるものではなく、その他のエンジニアリングプラスチックを適用できることは勿論のこと、合成樹脂以外のアルミニウム合金等の金属を用いることもできる。
【００４１】
外装ケース５の内部は仕切りパネルによって左右方向（レンズ装置４の光軸と交差する方向）に仕切られており、これにより、ディスク蓋７側の第１の室と表示装置側の第２の室とに分けられている。仕切りパネルは板状の部材からなり、固定ネジによって外装ケース５の内部に締付固定されている。仕切りパネルの材料としては、例えば、ステンレス鋼（ＳＵＳ）が好適であるが、スチール鋼、アルミニウム合金その他の金属を適用できることは勿論のこと、金属以外のエンジニアリングプラスチックを用いることもできる。
【００４２】
図示しないが、外装ケース５の第１の室にはディスクドライブ装置３が収納され、第２の室にはレンズ装置４と制御回路部等が収納されている。そのため、仕切りパネルの一面側にはディスクドライブ装置３を支持するための複数個の支持突起が設けられ、他面側にはレンズ装置４やプリント基板等を支持するための複数個の支持片が設けられている。制御回路部は、例えば、マイクロコンピュータや記憶装置（ＲＡＭ，ＲＯＭ）、コンデンサや抵抗その他の電子部品と、これらの電子部品が搭載されるプリント基板等によって構成されている。
【００４３】
ディスクドライブ装置３は、図４〜図６に示すように、仕切りパネル等のケース側の部材を介して外装ケース５に取り付けられるシャーシ３７と、このシャーシ３７に固定されるテーブル回転手段３５と、ピックアップ装置の一具体例を示す光学ピックアップ装置５０と、この光学ピックアップ装置５０をテーブル回転手段３５に対して接近又は離反させるようにＤＶＤ−Ｒ２の半径方向に所定範囲内で往復移動させるピックアップヘッド送り装置５１等を備えて構成されている。
【００４４】
シャーシ３７は、略Ｄ字形に形成された上面部３７ａと、この上面部３７ａの周縁に連続する側面部３７ｂと、ケース側部材に取り付けるために側面部３７ｂの周縁の４箇所に設けたインシュレータ取付部３７ｃとを有し、電気を良く通す金属材料によって一体に形成されている。各インシュレータ取付部３７ｃには連通孔５２が設けられており、その連通孔５２にはマウントインシュレータ５３がそれぞれ装着されている。マウントインシュレータ５３は絶縁性材料で形成されたゴム状弾性体からなり、それらのマウントインシュレータ５３を介してシャーシ３７がケース側部材を介して外装ケース５に弾性的に支持される。
【００４５】
シャーシ３７の上面部３７ａには、光学ピックアップ装置５０の上面を露出させるための開口部５４が設けられている。開口部５４は、上面部３７ａの略中央から側面部３７ｂの円弧部に至る部分に開口されており、その円弧側面部を除く他の３辺側に適当な幅の縁取りが設けられている。この上面部３７ａの縁取りのうち、円弧側面部に対向する中央縁取りの内側には、テーブル回転手段３５が搭載されるモータベース５５が取り付けられ、これを挟むようにその両側に連続された側部縁取りの内側にはガイド部材の一具体例を示す一対のガイド軸５６，５７が１本ずつ取り付けられている。
【００４６】
テーブル回転手段３５は、シャーシ３７の下面に固定ねじ５８ａでねじ止めされたモータベース５５と、このモータベース５５上に搭載されて固定されたスピンドルモータ６０と、このスピンドルモータ６０の回転部に設けられたターンテーブル３６とから構成されている。モータベース５５は導電性を有する金属製の板体からなり、その一面にスピンドルモータ６０がカシメ等の固着手段によって固定されている。なお、スピンドルモータ６０は、シャーシ３７に直接固定する構成としても良いことは勿論である。
【００４７】
スピンドルモータ６０は、モータベース５５に固定される固定部と、その固定部に回転自在に支持された回転部とからなり、その回転部の上面にターンテーブル３６が一体的に設けられている。ターンテーブル３６は、ＤＶＤ−Ｒ２のセンタ穴が嵌合されるディスク嵌合部３６ａと、ＤＶＤ−Ｒ２のセンタ穴の周縁部が載置されるディスク載置部３６ｂとを有している。ターンテーブル３６のディスク嵌合部３６ａには、ＤＶＤ−Ｒ２のセンタ穴の周縁部に係合してＤＶＤ−Ｒ２を保持する複数個（本実施例では３個）のロック爪６１が周方向に等間隔に配置されている。各ロック爪６１は、図示しないスプリングによって半径方向外側へ付勢されており、このスプリングのバネ力によるロック爪６１の保持力でＤＶＤ−Ｒ２がターンテーブル３６の所定位置に位置決めされて固定される。
【００４８】
このテーブル回転手段３５の近傍に光学ピックアップ装置５０が配設されている。光学ピックアップ装置５０は、ＤＶＤ−Ｒ２の情報記録面に対向されるピックアップレンズ６２を有する二軸アクチュエータ６３と、この二軸アクチュエータ６３が搭載されたスライド部材６４等を備えて構成されている。スライド部材６４は、ガイド部材の一具体例を示す主ガイド軸５６と副ガイド軸５７との２本のガイド軸５６，５７にガイドされてテーブル回転手段３５に対して進退移動（接近及び離反）可能に構成されている。
【００４９】
２本のガイド軸５６，５７は、それぞれ金属製の真っ直ぐな丸棒によって形成されている。一方の主ガイド軸５６は、スライド部材６４の長手方向の一端に設けた一対の第１の軸受部６５ａ，６５ｂの軸受穴を摺動自在に貫通している。一対の第１の軸受部６５ａ，６５ｂの軸受穴は、主ガイド軸５６の軸方向に適宜な間隔をあけて同一軸心線上に設定されており、一対の第１の軸受部６５ａ，６５ｂで１本の主ガイド軸５６を支持することによってスライド部材６４が移動する際の直進性を確保するようにしている。
【００５０】
他方の副ガイド軸５７は、スライド部材６４の長手方向の他端に設けた第２の軸受部６６の軸受溝に摺動自在に貫通されている。第２の軸受部６６の軸受溝は、スライド部材６４の長手方向の側方へ開口するように設けられている。そして、主ガイド軸５６と副ガイド軸５７とは、テーブル回転手段３５を挟むように所定の間隔をあけて対向されると共に、互いに略平行をなすように配置されている。これら主ガイド軸５６及び副ガイド軸５７は、それぞれ軸方向の両端部において、支持手段６７によってシャーシ３７に固定するように支持されている。
【００５１】
支持手段６７は、各ガイド軸５６，５７の端部を支持するためにシャーシ３７の４箇所に設けた軸受部６８と、シャーシ３７に固定される押え板６９とから構成されている。各軸受部６８は、ガイド軸５６の端部を収容することができる凹部を有しており、その凹部内にガイド軸５６の各端部が収容されている。そして、各ガイド軸５６，５７の各端部を押え板６９で押え付けることによって、各ガイド軸５６，５７がシャーシ３７に、支持手段６８によって両端支持されている。なお、２本のガイド軸５６，５７は、いずれか１本のみを丸棒として形成し、他の１本はシャーシ３７と一体に形成するようにしてもよい。
【００５２】
前記２本のガイド軸５６，５７と、前記スライド部材６４に取り付けられた送りナット７０と、この送りナット７０の歯部７１が摺動可能に係合されるねじ溝７４を有する送りねじ軸７３と、この送りねじ軸７３を回転駆動する原動機の一具体例を示す送りモータ７５等によってピックアップヘッド送り装置５１が構成されている。送りモータ７５としては、例えば、ステップモータが好適であるが、その他の直流電動機や交流電動機、或いは油・空圧シリンダ、揺動モータ等のアクチュエータを用いることもできる。
【００５３】
送りねじ軸７３は、送りモータ７５の回転軸として構成されており、その外周面に螺旋状に延在されたねじ溝７４が設けられている。送りねじ軸７３は、２本のガイド軸５６，５７、特に、主ガイド軸５６の軸心線と略平行をなすように配置されており、軸受ホルダ７６によって回転自在に両端支持されている。軸受ホルダ７６は、送りねじ軸７３を支持する支持片が両端に設けられたプレート状の部材からなり、固定ねじ５８ｂによってシャーシ３７にねじ止めされて固定されている。この軸受ホルダ７６に送りモータ７５が固定されている。そして、送りねじ軸７３のねじ溝７４に、送りナット７０の歯部７１が噛合されている。
【００５４】
送りナット７０は、第１の実施例として図示した図９Ａ〜Ｃに示すように、スライド部材６４に固定するための固定部７０ａと、歯部７１が設けられたナット部７０ｂと、固定部７０ａとナット部７０ｂとの間を撓み変形可能なように弾性的に連結する連結部７０ｃと、ナット部７０ｂを送りねじ軸７３側に付勢する弾性部材の一具体例を示すコイルばね７７と、コイルばね７７のばね力によるナット部７０ｂの移動を制限するストッパ部８１とを具えて構成されている。
【００５５】
送りナット７０の固定部７０ａは、上面片７０a1と、この上面片７０a1の一辺に連続して立ち下げられた側面片７０a2とからなり、上面片７０a1には、固定ねじ５８ｂが挿入される座ぐり部の付いた挿通孔７８ａと、２つの位置決め孔７８ｂ，７８ｃとが設けられている。２つの位置決め孔７８ｂ，７８ｃは、円形とされた第１の位置決め孔７８ｂと、楕円形とされた第２の位置決め孔７８ｃとからなり、挿通孔７８ａを挟んで両側に対向するように配置されている。２つの位置決め孔７８ｂ，７８ｃにはスライド部材６４の位置決め凸部がそれぞれ嵌合され、その状態で固定ねじ５８ｃを挿通孔７８ａに通して締め付けることにより、送りナット７０がスライド部材６４の所定位置に位置決めされて固定されている。
【００５６】
また、固定部７０ａの上面片７０a1の下面には、主ガイド軸５６との接触を避けるための逃げ溝７９が設けられている。更に、固定部７０ａの側面片７０a2には、コイルばね７７の一端を支持するためのばね受け凸部８２がナット部７０ｂ側に突出するように設けられている。ナット部７０ｂは、上下方向に展開された横長の板体と、その板体の表面に設けられた１個の歯部７１とからなっている。歯部７１は、歯車の歯のような形状をしていると共に、送りねじ軸７３のねじ溝のリードに合わせて所定角度傾斜され、側方へ突出するように形成されている。
【００５７】
このナット部７０ｂの下端部と固定部７０ａの下端部とが連結部７０ｃによって撓み変形可能に連結されている。連結部７０ｃは、Ｓ字状に湾曲形成された一対の弾性片からなり、その厚みを他の部分よりも薄くすると共に形状をＳ字形とすることによって撓み変形が容易に行えるようにしている。また、ナット部７０ｂの歯部７１と反対側の面には、コイルばね７７の他端を支持するためのばね受け凸部８３が固定部７０ａ側のばね受け凸部８２と対向するように突出形成されている。
【００５８】
これらばね受け凸部８２，８３間には、コイルばね７７が圧縮された状態で介在される。このコイルばね７７のばね力により、ナット部７０ｂが固定部７０ａから離れる方向に付勢される。弾性部材としては、この実施例で示すコイルばね７７に限定されるものではなく、例えば、竹の子ばね、板ばねその他のばね材は勿論のこと、ゴム状弾性体によっても構成することができる。このコイルばね７７のばね力によるナット部７０ｂの移動が、一対のストッパ部８１，８１によって制限されている。
【００５９】
一対のストッパ部８１，８１は、ナット部７０ｂが固定部７０ａから離れる方向に所定以上に広げられるのを防ぐものである。この一対のストッパ部８１，８１を設けることにより、ナット部７０ｂが撓み変形する際に回転中心となる連結部７０ｃの回転中心点Ｑ又はその近傍において、大きく広げられることによって破壊されたり、撓み変形が繰り返されることにより疲労が蓄積されて破壊されるのを防ぐ働きを有している。更に、一対のストッパ部８１，８１は、上記機能に加えて、ナット部７０ｂが一定以上に広がるのを防止することにより、歯部７１が必要以上に大きな押圧力で送りねじ軸７３のねじ溝７４に押し付けられるのを防止する働きも有している。
【００６０】
即ち、コイルばね７７のばね力によってナット部７０ｂには常に広がろうとする力が作用するが、そのナット部７０ｂは、コイルばね７７とは反対側の端部において連結部７０ｃで固定部７０ａと連結されている。そのため、コイルばね７７のばね力によってナット部７０ｂには、連結部７０ｃの回転中心点Ｑを中心として、図７において時計方向に向かう回転力が作用する。これにより、送りねじ軸７３ではナット部７０ｂの歯部７１による押圧力が強くなるが、ナット部７０ｂの下方には隙間Ｅをあけてストッパ部８１が配置されているため、ナット部７０ｂがある程度回動すると、その下面がストッパ部８１の上面に当接し、それ以上のナット部７０ｂの回動が阻止される。
【００６１】
このようにしてナット部７０ｂの回動を一対のストッパ部８１，８１で制限することにより、ねじ溝７４に押し付けられる歯部７１の力が異常に大きくなるのを防ぐことができる。そのため、歯部７１とねじ溝７４との間に発生する摺動摩擦抵抗の増加を抑制することができ、送りねじ軸７３に対する送りナット７０の相対的な移動を容易にして、スライド部材６４を確実且つスムースに移動させることができる。このような働きを有する一対のストッパ部８１，８１は、一対の連結部７０ｃ，７０ｃの外側に配置されている。各ストッパ部８１の先端には、ナット部７０ｂの下方に入り込む制限片８１ａが設けられている。
【００６２】
かくして、送りモータ７５を駆動して送りネジ軸７３を回転駆動することにより、その送りネジ軸７３の回転力が送りナット７０を介してスライド部材６４に伝達される。その結果、送りネジ軸７３の回転方向に応じて、光学ピックアップ装置５０がテーブル回転手段３５（ターンテーブル３６、スピンドルモータ６０等）に近づく方向とテーブル回転手段３５から離れる方向とに選択的に移動される。これらテーブル回転手段３５と光学ピックアップ装置５０とピックアップヘッド送り装置５１とシャーシ３７とその他の関連機構、装置等によってディスクドライブ装置３が構成されている。
【００６３】
なお、送りナット７０の材質としては、例えば、ポリアセタール（ＰＯＭ）が好適であるが、その他のエンジニアリングプラスチックを用いることができることは勿論である。また、シャーシの材質としては、ステンレス鋼やモリブデン鋼、アルミニウム合金その他の金属材料が好適であるが、エンジニアリングプラスチックを用いることできる。
【００６４】
このような構成を有するディスクドライブ装置３を外装ケース５内の所定位置に取り付けることにより、図３に示すように、テーブル回転手段３５のターンテーブル３６がディスク収納部６の略中央部に配置されている。このディスク収納部６がディスク蓋７によって開閉され、そのディスク蓋７を閉じ位置に保持するロックと、そのロックを解除するロック解除とが蓋開閉機構によって行われる。
【００６５】
このディスクドライブ装置３を備えたディスク式撮像装置１によれば、被写体を撮影することにより、その被写体の画像に対応したデジタル信号を発生させて、液晶ディスプレイ等の表示装置にその画像を表示したり、内蔵された記憶装置や外付けされる記憶装置等にその画像に対応した情報信号を記録したりすることができる。
【００６６】
また、図６に示すように、ディスクドライブ装置３の主ガイド軸５６には、スライド部材６４がテーブル回転手段３５に対して所定距離以上に近づくのを防止してノイズの発生を低減させる干渉材８５が装着されている。干渉材８５は、主ガイド軸５６が挿通可能とされたリング状の部材からなり、振動や衝撃力等を吸収することができる材料、例えば、ゴム材や軟質プラスチック等によって構成されている。
【００６７】
この干渉材８５を用いることにより、次のような効果を得ることができる。光学ピックアップ装置５０が搭載されたスライド部材６４をテーブル回転手段３５に近づけたり、その逆に遠ざけたりする際に、スライド部材６４をガイド軸５６，５７の支持手段６７等に直接当接させると、衝突時の衝撃力によってノイズが発生し、また、衝突後のステップモータの空回転（脱調）によってもノイズが発生することになる。
【００６８】
このようなノイズが発生しない構成とするためには、例えば、スライド部材６４の位置を検出するセンサを設け、その位置センサの検出信号に基づき送りモータの回転を制御して、スライド部材６４が支持手段６７等に直接衝突しない構成とする必要がある。ところが、位置センサを設けて送りモータの回転を制御することでスライド部材６４が支持手段６７等に衝突しない構成にすると、位置センサを用いることによる部品点数の増加によってコストアップを招くばかりでなく、位置センサで検出した信号に基づく位置制御が必要になるため、制御が複雑になるという問題が生ずる。
【００６９】
これに対して、本実施例のように、ガイド軸５６に干渉材８５を取り付けてスライド部材６４と支持手段６７との間に介在させることにより、前記ノイズの発生を低減させることができる。即ち、本実施例の場合には、スライド部材６４を支持手段６７側に衝突させたときにも、スライド部材６４は干渉材８５を介して支持手段６７等に衝突することになる。そのため、その衝突時の衝撃力や振動は干渉材８５によって吸収され、これにより、衝突によるノイズの発生を低減させることができる。更に、衝突時の衝撃力が干渉材８５によって低減されるため、送りナットの歯飛びを防止し又は抑制できると共に、歯飛びによる傷の発生を防ぐことができる。
【００７０】
また、衝突後のステップモータに空回転（脱調）が生じたときにも、そのエネルギの多くが干渉材８５によって吸収されるため、ノイズ（脱調音）の発生を効果に低減することができる。しかも、ゴム材等からなる干渉材８５を用いるだけで脱調音を低減することができ、位置検出センサ等の高価な部品を必要としないため、大幅なコストアップを招くことなく、安価に製造することができる。
【００７１】
図１０Ａ〜Ｃは、本発明のピックアップヘッド送り装置５１に係る送りナットの第２の実施例を示すものである。この第２の実施例で示す送りナット９０が第１の実施例で示した送りナット７０と異なる点は、一対のストッパ部９１，９１のみであり、他の部分は第１の実施例と同様であるため、ここでは異なる部分についてのみ説明し、同一部分には同一の符号を付してそれらの説明を省略する。
【００７２】
一対のストッパ部９１，９１は、一対の連結部７０ｃ，７０ｃの外側に配置されている。各ストッパ部９１の先端には、ナット部７０ｂの前方に入り込むように形成された制限片９１ａが設けられている。この制限片９１ａでナット部７０ｂが送りねじ軸７３に近づくのを制限することにより、前記第１の実施例と同様の効果を得ることができる。なお、この第２の実施例及び前記第１の実施例においては、それぞれストッパ部８１，９１を左右対称に一対設けたが、例えば、中央部に１個のストッパ部を設ける構成とすることもできる。
【００７３】
図１１は、本発明のピックアップヘッド送り装置５１に係る送りナットの第３の実施例を示すものである。この第３の実施例で示す送りナット９３が第１の実施例で示した送りナット７０と異なる点は、固定部７０ａ側の固定側ストッパ部９４に対応させてナット部７０ｂ側にも歯側ストッパ部９５を設け、２つのストッパ部９４，９５の制限片９４ａ，９５ａを互いに係合させて、ナット部７０ｂの撓み変形を制限する構成とした点である。その他の構成は第１の実施例と同様であるため、ここでは異なる部分についてのみ説明し、同一部分には同一の符号を付してそれらの説明を省略する。
【００７４】
固定部７０ａ側の一対の固定側ストッパ部９４，９４は、連結部７０ｃの外側に配置されており、それぞれの先端に、内側に突出された爪状の制限片９４ａ，９４ａが設けられている。また、ナット部７０ｂの幅方向両側にも、一対の歯側ストッパ部９５，９５が設けられている。一対の歯側ストッパ部９５，９５の先端には、外側に突出された爪状の制限片９５ａ，９５ａが設けられている。２つの制限片９４ａ，９５ａは、互いに係合可能なように同じ高さ位置に設定されており、コイルばね７７のばね力によるナット部７０ｂの移動が両制限片９４ａ，９５ａの係合によって阻止される構成となっている。このような構成とすることによっても、前記実施例と同様の効果を得ることができる。
【００７５】
以上説明したように、本実施例によれば、圧縮コイルばね等のコイルばね７７を送りナット７０，９０，９３に取り付ける際に、誤ってナット部７０ｂが広がり過ぎて、連結部７０ｃが破断されるおそれを無くすことができる。また、コイルばね７７のばね力でナット部７０ｂが広がり過ぎて、送りねじ軸７３のねじ溝７４に押圧される歯部７１の押圧力が必要以上に大きくなったり、歯部７１がねじ溝７４に乗り上がってしまうのを防ぐことができる。
【産業上の利用可能性】
【００７６】
本発明は、前述しかつ図面に示した実施の形態に限定されるものではなく、その要旨を逸脱しない範囲内で種々の変形実施が可能である。例えば、前記実施例では、ＤＶＤ−Ｒを記録媒体として用いたディスク式撮像装置に適用した例について説明したが、光磁気ディスクや磁気ディスク等の他の記録方式のディスク状記録媒体を用いた撮像装置に適用できるものである。更に、本発明に係る電子機器としては、前述した撮像装置に限定されるものではなく、この種のディスクドライブ装置が用いられるパーソナルコンピュータ、電子辞書、ＤＶＤプレーヤ、カーナビゲーションその他各種の電子機器に適用できるものである。
【図面の簡単な説明】
【００７７】
【図１】本発明のピックアップヘッド送り装置を用いたディスクドライブ装置を備えた電子機器の一実施例を示すディスク式撮像装置を正面側から見た斜視図である。
【図２】本発明のピックアップヘッド送り装置を用いたディスクドライブ装置を備えた電子機器の一実施例を示すディスク式撮像装置を背面側から見た斜視図である。
【図３】図１に示すディスク式撮像装置のディスク蓋を開いてディスクドライブ装置を露出させた状態の斜視図である。
【図４】本発明のピックアップヘッド送り装置を用いたディスクドライブ装置の一実施例を示す正面図である。
【図５】本発明のピックアップヘッド送り装置を用いたディスクドライブ装置の一実施例を示す背面図である。
【図６】本発明のピックアップヘッド送り装置を用いたディスクドライブ装置の一実施例を示す背面側から見た斜視図である。
【図７】本発明のピックアップヘッド送り装置の一実施例を、送りねじ軸の軸方向と交差する方向から断面した説明図である。
【図８】本発明のピックアップヘッド送り装置の一実施例を、送りねじ軸の軸方向と平行する方向から見た説明図である。
【図９】本発明のピックアップヘッド送り装置に係る送りナットの第１の実施例を示すもので、同図Ａは斜視図、同図Ｂは正面図、同図Ｃは側面図である。
【図１０】本発明のピックアップヘッド送り装置に係る送りナットの第２の実施例を示すもので、同図Ａは斜視図、同図Ｂは正面図、同図Ｃは側面図である。
【図１１】本発明のピックアップヘッド送り装置に係る送りナットの第３の実施例を示す斜視図である。
【符号の説明】
【００７８】
１…ディスク式撮像装置（電子機器）、  ２…ＤＶＤ−Ｒ（ディスク状記録媒体）、  ３…ディスクドライブ装置、  ５…外装ケース、  ３５…テーブル回転手段、  ３６…ターンテーブル、  ３７…シャーシ、  ５０…光学ピックアップ装置（ピックアップ装置）、  ５１…ピックアップヘッド送り装置、  ５６，５７…ガイド軸（ガイド部材）、  ６０…スピンドルモータ、  ６４…スライド部材、  ６７…支持手段、  ７０，９０，９３…送りナット、  ７０ａ…固定部、  ７０ｂ…ナット部、  ７０ｃ…連結部、  ７１…歯部、  ７３…送りねじ軸、  ７４…ねじ溝、  ７５…送りモータ（原動機）、  ７７…コイルばね（弾性部材）、  ８１，９１，９４，９５…ストッパ部、  ８１ａ，９１ａ，９４ａ，９５ａ…制限片
【図１】
2006172661.tif 000003
【図２】
2006172661.tif 000004
【図３】
2006172661.tif 000005
【図４】
2006172661.tif 000006
【図５】
2006172661.tif 000007
【図６】
2006172661.tif 000008
【図７】
2006172661.tif 000009
【図８】
2006172661.tif 000010
【図９】
2006172661.tif 000011
【図１０】
2006172661.tif 000012
【図１１】
2006172661.tif 000013